(57)【要約】【解決手段】コネクタは、絶縁体と、該絶縁体によって保持され絶縁体を通して引回された複数の離間された信号コンタクト及び帰還基準コンタクトとを有する。信号コンタクトは、正信号コンタクト及び負信号コンタクトを有する信号対を形成する。絶縁体の第１の端において、信号対及び帰還基準コンタクトが２行で設けられている。絶縁体の第２の端において、信号対及び帰還基準コンタクトが少なくとも３行で設けられている。信号対及び帰還基準コンタクトは、複数の二等辺三角形又は複数の斜線のいずれかを形成する。【選択図】図９
2010537384.tif 000002
【特許請求の範囲】
【請求項１】
コネクタであって、
第１の端及び第２の端を有する絶縁体と、
該絶縁体内に保持され引回された複数の離間された信号コンタクト及び帰還基準コンタクトであって、前記信号コンタクトが正信号コンタクト及び負信号コンタクトを有する信号対を形成する、信号コンタクト及び帰還基準コンタクトとを有し、
前記第１の端において、各信号対が前記第１の端の上側行の帰還基準コンタクトのうちの１個によって隣接する信号対から分離され、各信号対が前記第１の端の下側行の帰還基準コンタクトのうちの１個によって隣接する信号対から分離され、
前記第２の端において、信号コンタクト及び帰還基準コンタクトが、少なくとも３行の行と複数の列とから成る格子状に配列され、前記第２の端に複数の二等辺三角形が形成され、各二等辺三角形は、前記行のうちの１行に設けられた信号対と前記行のうちの他の行に設けられた前記帰還基準コンタクトのうちの１個とを含み、前記信号コンタクトは対応する列に設けられた唯一のコンタクトであり、前記帰還基準コンタクトは対応する列に設けられた唯一のコンタクトであり、隣接する信号対が前記格子の異なる２行に交互に設けられているコネクタ。
【請求項２】
前記第２の端に行が３行設けられ、前記二等辺三角形内の前記信号対は第１及び第２の行に交互に設けられており、前記二等辺三角形内の前記帰還基準コンタクトは第２及び第３の行に交互に設けられている、請求項１に記載のコネクタ。
【請求項３】
前記第２の端に行が５行設けられ、前記二等辺三角形内の前記信号対は第２及び第４の行に交互に設けられており、前記二等辺三角形内の前記帰還基準コンタクトは第３及び第５の行に交互に設けられている、請求項１に記載のコネクタ。
【請求項４】
前記帰還基準コンタクトの各々が少なくとも２行に亘る幅広ブレードとして形成され、該幅広ブレードから、前記二等辺三角形を形成するテール部が延在している、請求項３に記載のコネクタ。
【請求項５】
前記帰還基準コンタクトの各々が３行に亘る幅広ブレードとして形成され、該幅広ブレードから３個のテール部が延在し、前記幅広ブレードの第１の端にある第１のテール部が前記二等辺三角形を形成し、前記幅広ブレードの中間にある第２のテール部が対応する信号対と同一行に位置し、前記幅広ブレードの第２の端にある第３のテール部が第２のテール部が位置する行の隣りの行に位置して第２の二等辺三角形を形成している、請求項３に記載のコネクタ。
【請求項６】
前記帰還基準コンタクトの各々が３行に亘る幅広ブレードとして形成され、該幅広ブレードから２個のテール部が延在し、前記幅広ブレードの第１の端にある第１のテール部が前記二等辺三角形を形成し、前記幅広ブレードの第２の端にある第２のテール部が信号対が位置する行の隣りの行に位置して第２の二等辺三角形を形成している、請求項３に記載のコネクタ。
【請求項７】
前記第２の端に行が３行設けられ、前記二等辺三角形内の前記信号対は第１及び第３の行に交互に設けられており、前記二等辺三角形内の前記帰還基準コンタクトは第２の行に設けられている、請求項１に記載のコネクタ。
【請求項８】
前記帰還基準コンタクトの各々が２行に亘る幅広ブレードとして形成され、該幅広ブレードから２個のテール部が延在し、前記幅広ブレードの第１の端にある第１のテール部が対応する信号対と同一行に位置し、前記幅広ブレードの第２の端にある第２のテール部が第１のテール部が位置する行の隣の行に位置している、請求項７に記載のコネクタ。
【請求項９】
前記帰還基準コンタクトの各々が３行に亘る幅広ブレードとして形成され、該幅広ブレードから３個のテール部が延在し、前記幅広ブレードの第１の端にある第１のテール部が対応する信号対と同一行に位置し、前記幅広ブレードの中間にある第２のテール部が前記二等辺三角形を形成し、前記幅広ブレードの第２の端にある第３のテール部が第２のテール部が位置する行の隣りの行に位置して対応する信号対とともに第２の二等辺三角形を形成している、請求項７に記載のコネクタ。
【請求項１０】
行が４行設けられており、前記二等辺三角形内の前記信号対は第１及び第４の行に交互に設けられており、前記二等辺三角形内の前記帰還基準コンタクトは第２及び第３の行に交互に設けられている、請求項１に記載のコネクタ。
【請求項１１】
コネクタであって、
第１の端及び第２の端を有する絶縁体と、
該絶縁体内に保持され引回された複数の離間された信号コンタクト及び帰還基準コンタクトであって、前記信号コンタクトが正信号コンタクト及び負信号コンタクトを有する信号対を形成する、信号コンタクト及び帰還基準コンタクトとを有し、
前記第１の端において、各信号対が前記第１の端の上側行の帰還基準コンタクトのうちの１個によって隣接する信号対から分離され、各信号対が前記第１の端の下側行の帰還基準コンタクトのうちの１個によって隣接する信号対から分離され、
前記第２の端において、信号コンタクト及び帰還基準コンタクトが、３行の行と複数の列とを有する格子状に配列され、前記第２の端に複数の斜線が形成され、各斜線は、第１の行に設けられた一方の信号コンタクトと第３の行に設けられた他方の信号コンタクトとを有する信号対と、第２の行に設けられた前記帰還基準コンタクトのうちの１個の帰還基準コンタクトとを含み、該帰還基準コンタクトが、信号コンタクトが設けられた列からずれた列において、前記信号対の前記信号コンタクト間に設けられているコネクタ。
【請求項１２】
前記第１の行に設けられた前記信号コンタクトが同一極性を有し、前記第３の行に設けられた信号コンタクトが、第１の行の信号コンタクトの極性と反対の同一極性を有する、請求項１１に記載のコネクタ。
【請求項１３】
前記帰還基準コンタクトの各々が３行に亘る幅広ブレードとして形成され、該幅広ブレードから少なくとも１個のテール部が延在している、請求項１１に記載のコネクタ。
【請求項１４】
各幅広ブレードから３個のテール部が延在し、第１のテール部が前記第１の行にあり、第２のテール部が前記第２の行にあり、第３のテール部が前記第３の行にあり、前記第２のテール部が斜線上に帰還基準コンタクトを形成する、請求項１３に記載のコネクタ。
【請求項１５】
各テール部が、斜線の信号コンタクトからずれた列に設けられている、請求項１３に記載のコネクタ。
【請求項１６】
各幅広ブレードが斜めにされており、これにより、前記第１のテール部は、信号コンタクトのうちの一方の信号コンタクトの列に位置し、第２のテール部は、斜線内の信号コンタクトからずれた列に設けられ、第３のテール部は、信号コンタクトのうちの他方の信号コンタクトの列に位置している、請求項１４に記載のコネクタ。
【発明の詳細な説明】
【技術分野】
【０００１】
本出願は、２００７年８月２３日に出願された米国仮特許出願第６０／９５７，６５７号の国内での利益を請求するものであり、この開示全体を本明細書の一部を構成するものとしてここに援用する。
【０００２】
本発明は、基板取付電気コネクタに関し、詳細には、高解像度マルチメディアインターフェイス（ＨＤＭＩ（Ｒ））型コネクタを含む高速入出力コネクタで使用するのに適したコネクタに関する。
【背景技術】
【０００３】
特許文献１は、格子状に形成された複数のコンタクトアレイを有するコネクタを提供する。この特許は、コンタクトについての２種類の異なる配列を開示する。第１の配列では、コネクタは、互いに平行な複数のコンタクトアレイを有する。各コンタクトアレイは、互いに隣接する２個の信号コンタクトと、該信号コンタクトと位置合せされた１個の接地コンタクトとを有する。各コンタクトアレイにおいて、接地コンタクトは、隣りのコンタクトアレイ内の２個の信号コンタクト間の中間位置に対応する位置に配置される。第２の配列では、コネクタは、互いに平行な第１及び第２のコンタクトアレイと、該第１及び第２のコンタクトアレイ間の第３のコンタクトアレイとを有する複数のコンタクトを有する。第１及び第２のコンタクトアレイはそれぞれ、複数の信号コンタクトを有し、第３のコンタクトアレイは、複数の接地コンタクトを有する。接地コンタクトはそれぞれ、第１及び第２の各コンタクトアレイ内の信号コンタクトのうちの隣接する信号コンタクト間の中間位置に対応する位置に配置される。
【先行技術文献】
【特許文献】
【０００４】
【特許文献１】米国特許第６，９３５，８７０号
【発明の概要】
【発明が解決しようとする課題】
【０００５】
特許文献１のコンタクトの第２の配列は、接地コンタクトがすべて同一行に設けられているので、接地コンタクト間の距離を大きくすることができない。さらに、特許文献１の第２の配列は、信号コンタクトが同一行に設けられているので、隣接する信号コンタクト対間の距離を大きくすることができない。その結果、信号コンタクト対間にクロストークが生じる可能性がある。
【０００６】
本発明は、従来技術の問題を克服し、従来技術より優れた更なる利点を提供するコネクタを提供し、そのような利点は、図面の検討とともに添付の明細書を読むことによって明らかになるであろう。
【課題を解決するための手段】
【０００７】
簡単に言うと、本発明は、絶縁体と、該絶縁体によって保持され絶縁体を通して引回された複数の離間された信号コンタクト及び帰還基準コンタクトとを有するコネクタを開示する。信号コンタクトは、正信号コンタクト及び負信号コンタクトを有する信号対を形成する。絶縁体の第１の端において、信号対及び帰還基準コンタクトが２行で設けられている。絶縁体の第２の端において、信号対及び帰還基準コンタクトが少なくとも３行で設けられている。信号対及び帰還基準コンタクトは、複数の二等辺三角形又は複数の斜線のいずれかを形成する。
【０００８】
本発明の構造の作り方及び動作方法は、更に他の目的及び利点とともに添付図面と関連して行われる以下の説明を参照することによって最もよく理解されるであろう。なお、添付図面において、類似の参照符号は類似の要素を示す。
【図面の簡単な説明】
【０００９】
【図１】本発明の特徴を有する基板取付電気コネクタの正面図である。
【図２】本発明の第１の実施の形態におけるレセプタクルシェル及び絶縁体（分かりやすくするために除去した）を通してのコンタクトの引回しを示すコンタクトの斜視図である。
【図３】コネクタの後側から出るときのコンタクトの向きを示す、図２のコンタクトの下面図である。
【図４】本発明の第２の実施の形態におけるレセプタクルシェル及び絶縁体（分かりやすくするために除去した）を通してのコンタクトの引回しを示すコンタクトの斜視図である。
【図５】コネクタの後側から出るときのコンタクトの向きを示す、図４のコンタクトの下面図である。
【図６】本発明の第３の実施の形態におけるレセプタクルシェル及び絶縁体（分かりやすくするために除去した）を通してのコンタクトの引回しを示すコンタクトの斜視図である。
【図７】図６に示した２組のコンタクトの斜視図である。
【図８】コネクタの後側から出るときのコンタクトの向きを示す、図６のコンタクトの下面図である。
【図８Ａ】コネクタの後側から出るときのコンタクトの向きを示す、図６のコンタクトの代替の第４の実施の形態の概略図である。
【図９】本発明の第５の実施の形態におけるレセプタクルシェル及び絶縁体（分かりやすくするために除去した）を通してのコンタクトの引回しを示すコンタクトの斜視図である。
【図１０】図９に示した２組のコンタクトの斜視図である。
【図１１】コネクタの後側から出るときのコンタクトの向きを示す、図９のコンタクトの下面図である。
【図１２】本発明の第６の実施の形態におけるレセプタクルシェル及び絶縁体（分かりやすくするために除去した）を通してのコンタクトの引回しを示すコンタクトの斜視図である。
【図１３】図１２に示した２組のコンタクトの斜視図である。
【図１４】コネクタの後側から出るときのコンタクトの向きを示す、図１２のコンタクトの下面図である。
【図１５】本発明の第７の実施の形態におけるレセプタクルシェル及び絶縁体（分かりやすくするために除去した）を通してのコンタクトの引回しを示すコンタクトの斜視図である。
【図１６】図１５に示した２組のコンタクトの斜視図である。
【図１７】コネクタの後側から出るときのコンタクトの向きを示す、図１５のコンタクトの下面図である。
【図１８】本発明の第８の実施の形態におけるレセプタクルシェル及び絶縁体（分かりやすくするために除去した）を通してのコンタクトの引回しを示すコンタクトの斜視図である。
【図１９】図１８に示した２組のコンタクトの斜視図である。
【図２０】コネクタの後側から出るときのコンタクトの向きを示す、図１８のコンタクトの下面図である。
【図２１】本発明の第９の実施の形態におけるレセプタクルシェル及び絶縁体（分かりやすくするために除去した）を通してのコンタクトの引回しを示すコンタクトの斜視図である。
【図２２】コネクタの後側から出るときにのコンタクトの向きを示す、図２１のコンタクトの下面図である。
【発明を実施するための形態】
【００１０】
本発明は、様々な形の実施の形態が可能であり、具体的な実施の形態が図面に示され、本明細書で詳細に説明されるが、本開示は本発明の原理の例示と考えることができ、本発明を本明細書に示し記述したものに限定するものではない。
【００１１】
基板取付電気コネクタ２０は、複数の離間された信号コンタクトＳ、好ましい実施の形態では接地コンタクトである帰還基準コンタクトＧ及び電力コンタクトＤと、信号コンタクトＳ、帰還基準コンタクトＧ及び電力コンタクトを保持する絶縁体２２と、これらのすべての構成要素を取囲むレセプタクルシェル２４とを有する。該レセプタクルシェル２４は、プラグコネクタと係合されるように適応された上側面を有する。互いに隣接する各対の信号コンタクトＳは、正（＋）信号コンタクト及び負（−）信号コンタクトを有し、それにより、信号対が画定される。
【００１２】
前述の３タイプ（信号、帰還基準及び電力）のコンタクトは、特定の配列で配置される。図１に示したように、コネクタ２０の前側の行Ａとして示された上側行に、コンタクトが、右側からＳ、Ｓ、Ｇ、Ｓ、Ｓ、Ｇ、Ｓ、Ｓ、Ｇ、Ｓ、Ｓの順序で配列される。行Ｂとして示された下側行では、コンタクトは、右側からＧ、Ｓ、Ｓ、Ｇ、Ｓ、Ｓ、Ｇ、Ｓ、Ｓ、Ｇの順序で配列される。コンタクトの引回しの説明が便利なように、コンタクトは、コンタクトタイプを示すＳ又はＧとともに１〜２１の番号が付けられている。また、電力コンタクトＤは、通常は行の端に設けられている。上側行の互いに隣接する信号コンタクトＳ、Ｓと、下側行の１個の帰還基準コンタクトＧとは、図１に線で示されたような二等辺三角形の３個の頂点に配置される（線は電気接続を表しておらず、二等辺三角形を形成することだけを示していることを理解されたい。）。同様に、上側行の帰還基準コンタクトＧと下側行の互いに隣接する信号コンタクトＳ、Ｓとは、二等辺三角形の３個の頂点に配置される。レセプタクルシェル２４の他端では、上側行Ａ、中間行Ｂ及び下側行Ｃとして示された３行の行が設けられるようにコンタクトが引回されるか、上側の第１行Ａ、第２行Ｂ、第３行Ｃ及び下側の最終行Ｄとして示された４行の行が設けられるようにコンタクトが引回されるか、上側の第１行Ａ、第２行Ｂ、第３行Ｃ、第４行Ｄ及び下側の最終行Ｅとして示された５行の行が設けられるようにコンタクトが引回される。コネクタ２０の前側のコンタクトのこの配列は、先に検討し参照によって本開示の一部を構成するものとして援用した特許文献１に示された第１の配列に示されたものと同一である。
【００１３】
図２及び３に示されたような第１の実施の形態では、図２は、レセプタクルシェル２４及び絶縁体２２（分かりやすくするために除去した）を通してのコンタクトの引回しを示し、図３は、コネクタ２０の後側から出るときのコンタクトＧ、Ｓの向きを示すコネクタ２０の下面図を示す。コンタクトＧ、Ｓは、この場合も、１〜２１の番号が付けられ、この番号付は、図１の番号付に対応する。したがって、帰還基準コンタクトＧ及び信号コンタクトＳ、Ｓは、３行の行Ａ、Ｂ及びＣと、行Ａ、Ｂ及びＣに垂直な複数の列Ｆとを含む格子状に設けられていることが分かる。それぞれの信号コンタクトＳは対応する列Ｆに設けられた唯一のコンタクトであり、それぞれの帰還基準コンタクトＧは対応する列Ｆに設けられた唯一のコンタクトである。帰還基準コンタクトＧは、中間行Ｂ及び下側行Ｃに交互に設けられ、隣接する信号コンタクトＳ、Ｓは、上側行Ａ及び中間行Ｂに交互に設けられている。各対の信号コンタクトＳ、Ｓ及び関連付けられた帰還基準コンタクトＧは、図３に線で示されたような二等辺三角形の頂点を形成する（線は電気接続を表しておらず、二等辺三角形を形成することだけを示していることを理解されたい。）。これにより、帰還基準コンタクトＧ間の距離は、帰還基準コンタクトＧがすべて同一行に設けられた場合より大きくなり、隣接する対の信号コンタクトＳ、Ｓ間の距離は、隣接する対の信号コンタクトＳ、Ｓがすべて同一行に設けられた場合より大きくなる。その結果、隣接する信号コンタクト対Ｓ、Ｓ間のクロストークは、隣接する対の信号コンタクトＳ、Ｓがすべて同一行に設けられた場合よりも減少する。さらに、帰還基準コンタクトＧが対応する信号コンタクト対における信号コンタクトＳ、Ｓ間にあるので、電気的結合が改善され、インピーダンスが均一になり、対応する信号コンタクト対における信号コンタクトＳ、Ｓ間のクロストークが減少する。コンタクトＧ、Ｓは、関連付けられたプリント配線基板（図示せず）内のめっきスルーホールにはんだ付することができる。
【００１４】
図４及び５に示したような第２の実施の形態では、図４は、レセプタクルシェル２４及び絶縁体２２（分かりやすくするために除去した）を通してのコンタクトの引回しを示し、図５は、コネクタ２０の後側から出るときのコンタクトＧ、Ｓの向きを示すコネクタ２０の下面図を示す。コンタクトＧ、Ｓは、この場合も、１〜２１の番号が付けられ、この番号付は、図１の番号付に対応する。したがって、帰還基準コンタクトＧ及び信号コンタクトＳ、Ｓは、３行の行Ａ、Ｂ及びＣと、行Ａ、Ｂ及びＣに垂直な複数の列Ｆとを含む格子状に設けられていることが分かる。それぞれの信号コンタクトＳは対応する列Ｆに設けられた唯一のコンタクトであり、それぞれの帰還基準コンタクトＧは対応する列Ｆに設けられた唯一のコンタクトである。帰還基準コンタクトＧはすべて中間行Ｂにあり、隣接する対の信号コンタクトＳ、Ｓは、上側行Ａ及び下側行Ｃに交互に設けられ、図５に示されたような斜線を形成する３個の点を形成する（線は電気接続を表しておらず、斜線を形成することだけを示していることを理解されたい。）。これにより、隣接する対の信号コンタクトＳ、Ｓ間の距離が、隣接する対の信号コンタクトＳ、Ｓがすべて同一行に設けられた場合より大きくなる。さらに、同一極性（例えば、正）のコンタクトはすべて上側行Ａにあり、同一極性（例えば、負）のコンタクトはすべて下側行Ｃにある。その結果、隣接する信号対Ｓ、Ｓ間のクロストークは、隣接する対のコンタクトがすべて同一行に設けられた場合より減少する。さらに、帰還基準コンタクトＧが対応する信号対の信号コンタクトＳ、Ｓ間にあるので、電気的結合が改善され、インピーダンスが均一になり、対応する信号コンタクト対における信号コンタクトＳ、Ｓ間のクロストークが減少する。コンタクトＧ、Ｓは、関連付けられたプリント配線基板（図示せず）内のめっきスルーホールにはんだ付することができる。
【００１５】
図６〜８に示したような第３の実施の形態では、図６は、レセプタクルシェル２４及び絶縁体２２（分かりやすくするために除去した）を通してのコンタクトの引回しを示し、図７は、２組の信号コンタクト対及び関連付けられた帰還基準コンタクトＧを示し、図８は、コネクタ２０の後側を出るときのコンタクトＧ、Ｓの向きを示すコネクタ２０の下面図を示す。コンタクトＧ、Ｓは、この場合も、１〜２１の番号が付けられ、この番号付は、図１の番号付に対応する。帰還基準コンタクトＧ及び信号コンタクトＳ、Ｓは、３行の行Ａ、Ｂ及びＣと、行Ａ、Ｂ及びＣに垂直な複数の列Ｆとを含む格子状に設けられていることが分かる。それぞれの信号コンタクトＳは対応する列Ｆに設けられた唯一のコンタクトであり、それぞれの帰還基準コンタクトＧは対応する列Ｆに設けられた唯一のコンタクトである。図に示したように、各帰還基準コンタクトＧの出力端は幅広にされてブレード形状になっている。ブレードの端には、複数のテール部（例えば、テール部Ｇ６ａ、Ｇ６ｂ及びＧ６ｃ）が形成される。図に示したように、そのような３個のテール部が設けられている。幅広ブレードは、プリント配線基板に接続するためのそのような１個のテール部（中央にあっても一方の縁の近くにあってもよい）、２個のテール部（中央及び一方の縁の近くにあってもよく、両方の縁の近くにあってもよい）、又は、図に示されるように３個のテール部を備えていてもよいことを理解されたい。図８に示したように、帰還基準コンタクトＧの幅広のテール部は、隣接する信号コンタクトＳ、Ｓ間に等距離で配列される。したがって、隣接する対の信号コンタクトＳ、Ｓが、上側行Ａ及び下側行Ｃに交互に設けられ、帰還基準コンタクトＧが、隣接する対の信号コンタクトＳ、Ｓを分離することが分かる。この場合、隣接する対の信号コンタクトＳ、Ｓとその関連付けられた帰還基準コンタクトＧとの間に、図８に示したような斜線が形成される（線は電気接続を表しておらず、斜線を形成することだけを示していることを理解されたい。）。これにより、隣接する対の信号コンタクトＳ、Ｓ間の距離は、隣接する対の信号コンタクトＳ、Ｓがすべて同一行に設けられた場合より大きくなる。さらに、同一極性（例えば、正）のコンタクトはすべて上側行Ａにあり、同一極性（例えば、負）のコンタクトはすべて下側行Ｃにある。その結果、隣接する信号対間のクロストークは、隣接する信号対のコンタクトがすべて同一行に設けられた場合より減少する。さらに、帰還基準コンタクトＧが対応する信号対の信号コンタクトＳ、Ｓ間にあるので、電気的結合が改善され、インピーダンスが均一になり、対応する信号コンタクト対における信号コンタクトＳ、Ｓ間のクロストークが減少する。帰還基準コンタクトＧの端に形成された幅広ブレードは、さらに、電気的結合を改善し、インピーダンスを均一にし、対応する信号対の信号コンタクトＳ、Ｓ間のクロストークを減少させる。信号コンタクトＳの端と帰還基準コンタクトＧのテール部とは、関連付けられたプリント配線基板（図示せず）のめっきスルーホールにはんだ付することができる。
【００１６】
図８Ａは、図７に示した実施の形態の変形例である第４の実施の形態を示す。帰還基準コンタクトＧ及び信号コンタクトＳ、Ｓが、３行の行Ａ、Ｂ及びＣと、行Ａ、Ｂ及びＣに垂直な複数の列Ｆとを含む格子状に設けられていることが分かる。この実施の形態では、幅広ブレードは、隣接する信号コンタクトＳ、Ｓ間に斜めに取付けられている。これは、帰還基準スルーホールを上側行及び下側行の信号スルーホールから更に離間させることによってプリント配線基板を製造するのに役立つ。この場合も、上記のような３個のテール部が示されている。幅広ブレードは、プリント配線基板内に接続するためのそのような１個のテール部（中央にあっても一方の縁の近くにあってもよい）、２個のテール部（中央及び一方の縁の近くにあってもよく、両方の縁の近くにあってもよい）、又は、３個のテール部を備えていてもよく、幅広ブレードが、隣接する信号コンタクトＳ、Ｓ間に斜めに取付けられることを理解されたい。この場合も、隣接する対の信号コンタクトＳ、Ｓと、関連付けられた帰還基準コンタクトＧとの間に斜線が形成される（線は電気接続を表しておらず、斜線を形成することだけを示していることを理解されたい。）。
【００１７】
図９〜１１に示したような第５の実施の形態では、図９は、レセプタクルシェル２４及び絶縁体２２（分かりやすくするために除去した）を通してのコンタクトの引回しを示し、図１０は、２組の信号対及びその関連付けられた帰還基準コンタクトＧを示し、図１１は、コネクタ２０の後側から出るときのコンタクトＧ、Ｓの向きを示すコネクタ２０の下面図を示す。コンタクトＧ、Ｓは、この場合も、１〜２１の番号が付けられ、この番号付は、図１の番号付に対応する。帰還基準コンタクトＧ及び信号コンタクトＳ、Ｓが、５行の行Ａ、Ｂ、Ｃ、Ｄ及びＥと、行Ａ、Ｂ、Ｃ、Ｄ及びＥに垂直な複数の列Ｆとを含む格子状に設けられていることが分かる。それぞれの信号コンタクトＳは対応する列Ｆに設けられた唯一のコンタクトであり、それぞれの帰還基準コンタクトＧは対応する列Ｆに設けられた唯一のコンタクトである。図に示したように、各帰還基準コンタクトＧの出力端は幅広にされてブレード形状になっている。ブレードの端に、複数のテール部（例えば、Ｇ６ａ、Ｇ６ｂ及びＧ６ｃ）が形成される。図に示したように、そのような３個のテール部が設けられている。幅広ブレードは、プリント配線基板に接続するためのそのような１個のテール部（中央にあっても一方の縁の近くにあってもよい）、２個のテール部（中央及び一方の縁の近くにあってもよく、両方の縁の近くにあってもよい）、又は、３個のテール部を備えていてもよいことを理解されたい。図１１に示したように、幅広のテール部は、隣接する信号コンタクトＳ、Ｓ間に等距離で配列される。したがって、隣接する対の信号コンタクトＳ、Ｓが、第２行Ｂ及び第４行Ｄに交互に設けられていることが分かる。幅広のテール部は、第３行／第４行／下側行及び上側行／第２行／第３行に交互に設けられている。これにより、隣接する対の信号コンタクトＳ、Ｓ間の距離が、隣接する対の信号コンタクトＳ、Ｓがすべて同一行に設けられた場合より大きくなる。その結果、隣接する信号対間のクロストークが、隣接する対のコンタクトがすべて同一行に設けられた場合より減少する。さらに、帰還基準コンタクトＧが対応する信号対の信号コンタクトＳ、Ｓ間にあるので、電気的結合が改善され、インピーダンスが均一になり、対応する信号コンタクト対における信号コンタクトＳ、Ｓ間のクロストークが減少する。帰還基準コンタクトＧの端に形成された幅広ブレードは、さらに、電気的結合を改善し、インピーダンスを均一にし、対応する信号対における信号コンタクトＳ、Ｓ間のクロストークを減少させる。また、電力コンタクトＤは、通常は行の端に設けられている。行Ｂの互いに隣接する信号コンタクトＳ、Ｓと、行Ａ又は行Ｃの帰還基準コンタクトＧとは、図１１に線で示されたような二等辺三角形の３個の頂点に配置される（線は電気接続を表しておらず、二等辺三角形を形成することだけを示していることを理解されたい。）。同様に、行Ｄの互いに隣接する信号コンタクトＳ、Ｓと、行Ｃ又は行Ｅの帰還基準コンタクトＧとは、図１１に線で示したような二等辺三角形の３個の頂点に配置される（線は電気接続を表しておらず、二等辺三角形を形成することだけを示していることを理解されたい。）。信号コンタクトＳの端と帰還基準コンタクトＧのテール部とは、関連付けられたプリント配線基板（図示せず）のめっきスルーホールにはんだ付することができる。
【００１８】
図１２〜１４に示したような第６の実施の形態では、図１２は、レセプタクルシェル２４及び絶縁体２２（分かりやすくするために除去した）を通してのコンタクトの引回しを示し、図１３は、２組の信号対及び関連付けられた帰還基準コンタクトＧを示し、図１４は、コネクタ２０の後側から出るときのコンタクトＧ、Ｓの向きを示すコネクタ２０の下面図を示す。コンタクトＧ、Ｓは、この場合も、１〜２１の番号が付けられ、この番号付は、図１の番号付に対応する。帰還基準コンタクトＧ及び信号コンタクトＳ、Ｓは、３行の行Ａ、Ｂ及びＣと、行Ａ、Ｂ及びＣに垂直な複数の列Ｆとを含む格子状に設けられていることが分かる。それぞれの信号コンタクトＳは対応する列Ｆに設けられた唯一のコンタクトであり、それぞれの帰還基準コンタクトＧは対応する列Ｆに設けられた唯一のコンタクトである。図に示したように、各帰還基準コンタクトＧの出力端は幅広にされてブレード形状になっている。ブレードの端には、複数のテール部（例えば、Ｇ６ａ及びＧ６ｂ）が形成され、図に示したように、そのような２個のテール部が設けられている。幅広ブレードは、プリント配線基板に接続するためのそのような１個のテール部を備えていてもよいことを理解されたい。図１４に示したように、幅広のテール部は、隣接する信号コンタクトＳ、Ｓ間に等距離で配列される。したがって、隣接する対の信号コンタクトＳ、Ｓは、上側行Ａ及び下側行Ｃに交互に設けられていることを理解されたい。帰還基準コンタクトＧは、中間行Ｂ／下側行Ｃ及び上側行Ａ／中間行Ｂに交互に設けられている。これにより、隣接する対の信号コンタクトＳ、Ｓ間の距離が、隣接する対の信号コンタクトＳ、Ｓがすべて同一行に設けられた場合より大きくなる。その結果、隣接する信号対間のクロストークは、隣接する対のコンタクトがすべて同一行に設けられた場合より減少する。さらに、帰還基準コンタクトＧが対応する信号対の信号コンタクトＳ、Ｓ間にあるので、電気的結合が改善され、インピーダンスが均一になり、対応する信号コンタクト対における信号コンタクトＳ、Ｓ間のクロストークが減少する。帰還基準コンタクトＧの端に形成された幅広ブレードが、さらに、電気的結合を改善し、インピーダンスを均一にし、対応する信号対における信号コンタクトＳ、Ｓ間のクロストークを減少させる。各対の信号コンタクトＳ、Ｓ及びその関連付けられた帰還基準コンタクトＧは、図１４に線で示されたような二等辺三角形の頂点を形成する（線は電気接続を表しておらず、二等辺三角形を形成することを示していることを理解されたい。）。信号コンタクトＳの端と帰還基準コンタクトＧのテール部とは、関連付けられたプリント配線基板（図示せず）のめっきスルーホールにはんだ付することができる。
【００１９】
図１５〜１７に示したような第７の実施の形態では、図１５は、レセプタクルシェル２４及び絶縁体２２（分かりやすくするために除去した）を通してのコンタクトの引回しを示し、図１６は、２組の信号対及び関連付けられた帰還基準コンタクトＧを示し、図１７は、コネクタ２０の後側から出るときのコンタクトＧ、Ｓの向きを示すコネクタ２０の下面図を示す。この場合も、コンタクトＧ、Ｓは、１〜２１の番号が付けられ、この番号付は図１の番号付に対応する。帰還基準コンタクトＧ及び信号コンタクトＳ、Ｓは、５行の行Ａ、Ｂ、Ｃ、Ｄ及びＥと、行Ａ、Ｂ、Ｃ、Ｄ及びＥに垂直な複数の列Ｆとを含む格子状に設けられていることが分かる。それぞれの信号コンタクトＳは対応する列Ｆに設けられた唯一のコンタクトであり、それぞれの帰還基準コンタクトＧは対応する列Ｆに設けられた唯一のコンタクトである。図に示したように、各帰還基準コンタクトＧの出力端は幅広にされてブレード形状になっている。ブレードの端に、複数のテール部（例えば、Ｇ６ａ及びＧ６ｃ）が形成され、図に示したようにそのような２個のテール部が設けられている。幅広ブレードが、プリント配線基板に接続するためのそのような１個のテール部を備えていてもよいことを理解されたい。図１７に示したように、幅広のテール部は、隣接する信号コンタクトＳ、Ｓ間に等距離で配列される。したがって、隣接する対の信号コンタクトＳ、Ｓは、第２行Ｂ及び第４行Ｄに交互に設けられている。帰還基準コンタクトＧは、第３行Ｃ／下側行Ｅ及び上側行Ａ／第３行Ｃに交互に設けられている。これにより、隣接する対の信号コンタクトＳ、Ｓ間の距離は、隣接する対の信号コンタクトＳ、Ｓがすべて同一行に設けられた場合より大きくなる。その結果、隣接する信号対間のクロストークは、隣接する対のコンタクトがすべて同一行に設けられる場合より減少する。さらに、帰還基準コンタクトＧが対応する信号対の信号コンタクトＳ、Ｓ間にあるので、電気的結合が改善され、インピーダンスが均一になり、対応する信号コンタクト対における信号コンタクトＳ、Ｓ間のクロストークが減少する。帰還基準コンタクトＧの端に形成された幅広ブレードは、さらに、電気的結合を改善し、インピーダンスを均一にし、対応する信号対の信号コンタクトＳ、Ｓ間のクロストークを減少させる。行Ｂの互いに隣接する信号コンタクトＳ、Ｓと行Ａ又は行Ｃの帰還基準コンタクトＧとは、図１７に線で示したような二等辺三角形の３個の頂点に配置される（線は電気接続を表しておらず、二等辺三角形を形成することだけを示していることを理解されたい。）。同様に、行Ｄの互いに隣接する信号コンタクトＳ、Ｓと、行Ｃ又は行Ｅの帰還基準コンタクトＧとは、図１７に線で示したような二等辺三角形の３個の頂点に配置される（線は電気接続を表しておらず、二等辺三角形を形成することだけを示していることを理解されたい。）。信号コンタクトＳの端と帰還基準コンタクトＧのテール部とは、関連付けられたプリント配線基板（図示せず）のめっきスルーホールにはんだ付することができる。
【００２０】
図１８〜２０に示したような第８の実施の形態では、図１８は、レセプタクルシェル２４及び絶縁体２２（分かりやすくするために除去した）を通してのコンタクトの引回しを示し、図１９は、２組の信号対及び関連付けられた帰還基準コンタクトＧを示し、図２０は、コネクタ２０の後側から出るときのコンタクトＧ、Ｓの向きを示すコネクタ２０の下面図を示す。コンタクトＧ、Ｓは、この場合も、１〜２１の番号が付けられ、この番号付は図１の番号付に対応する。帰還基準コンタクトＧ及び信号コンタクトＳ、Ｓは、３行の行Ａ、Ｂ及びＣと、行Ａ、Ｂ及びＣに垂直な複数の列Ｆとを含む格子状に設けられていることが分かる。それぞれの信号コンタクトＳは対応する列に設けられた唯一のコンタクトであり、それぞれの帰還基準コンタクトＧは対応する列に設けられた唯一のコンタクトである。図に示したように、各帰還基準コンタクトＧの出力端は幅広にされてブレード形状になっている。ブレードの端に複数のテール部（例えば、Ｇ６ａ、Ｇ６ｂ及びＧ６ｃ）が形成される。図に示したように、３個のそのようなテール部が設けられている。幅広ブレードが、プリント配線基板に接続するためのそのような１個のテール部（中央にあっても一方の縁の近くにあってもよい）、２個のテール部（中央及び一方の縁の近くにあってもよく、両方の縁の近くにあってもよい）、又は、３個のテール部を備えていてもよいことを理解されたい。図２０に示したように、幅広のテール部は、隣接する信号コンタクトＳ、Ｓ間に等距離で配列される。したがって、隣接する対の信号コンタクトＳ、Ｓは、上側行Ａ及び下側行Ｃに交互に設けられ、帰還基準コンタクトＧは、隣接する対の信号コンタクトＳ、Ｓを分離することが分かる。帰還基準コンタクトＧは３行のすべてに設けられる。これにより、隣接する対の信号コンタクトＳ、Ｓ間の距離が、隣接する対の信号コンタクトＳ、Ｓがすべて同一行に設けられた場合よりも大きくなる。その結果、隣接する信号対間のクロストークは、隣接する対のコンタクトがすべて同一行に設けられる場合より減少する。さらに、帰還基準コンタクトＧが対応する信号対の信号コンタクトＳ、Ｓ間にあるので、電気的結合が改善され、インピーダンスが均一になり、対応する信号対の信号コンタクトＳ、Ｓ間のクロストークが減少する。帰還基準コンタクトＧの端に形成された幅広ブレードは、さらに、電気的結合を改善し、インピーダンスを均一にし、対応する信号対における信号コンタクトＳ、Ｓ間のクロストークを減少させる。行Ａの互いに隣接する信号コンタクトＳ、Ｓと、行Ｂ又は行Ｃの帰還基準コンタクトＧとは、図２０に線で示されたような二等辺三角形の３個の頂点に配置される（線は電気接続を表しておらず、二等辺三角形を形成することだけを示していることを理解されたい。）。同様に、行Ｃの互いに隣接する信号コンタクトＳ、Ｓと、行Ａ又は行Ｂの帰還基準コンタクトＧとは、図２０に線で示したような二等辺三角形の３個の頂点に配置される（線は電気接続を表しておらず、二等辺三角形を形成することだけを示していることを理解されたい。）。信号コンタクトＳの端と帰還基準コンタクトＧのテール部とは、関連付けられたプリント配線基板（図示せず）のめっきスルーホールにはんだ付することができる。
【００２１】
図２１及び２２に示したような第９の実施の形態では、図２１は、レセプタクルシェル２４及び絶縁体２２（分かりやすくするために除去した）を通してのコンタクトの引回しを示し、図２２は、コネクタ２０の後側から出るときのコンタクトＧ、Ｓの向きを示すコネクタ２０の下面図を示す。この場合も、コンタクトＧ、Ｓは、１〜２１の番号が付けられ、この番号付は、図１の番号付に対応する。帰還基準コンタクトＧ及び信号コンタクトＳ、Ｓは、４行の行Ａ、Ｂ、Ｃ及びＤと、行Ａ、Ｂ、Ｃ及びＤに垂直な複数の列Ｆとを含む格子状に設けられていることが分かる。それぞれの信号コンタクトＳは対応する列Ｆに設けられた唯一のコンタクトであり、それぞれの帰還基準コンタクトＧは対応する列Ｆに設けられた唯一のコンタクトである。したがって、帰還基準コンタクトＧが、第２行Ｂ及び第３行Ｃに交互に設けられ、隣接する対のコンタクトが、上側行Ａ及び下側行Ｄに交互に設けられることが分かる。各対の信号コンタクトＳ、Ｓ及びその関連付けられた帰還基準コンタクトＧは、図２２に線で示したような二等辺三角形を形成する（線は電気接続を表しておらず、二等辺三角形を形成することだけを示していることを理解されたい。）。これにより、帰還基準コンタクトＧ間の距離は、帰還基準コンタクトＧがすべて同一行に設けられた場合より大きくなり、また、これにより、隣接する対の信号コンタクトＳ、Ｓ間の距離は、隣接する対の信号コンタクトＳ、Ｓがすべて同一行に設けられた場合より大きくなる。その結果、隣接する信号対間のクロストークは、隣接する対のコンタクトがすべて同一行に設けられる場合より減少する。帰還基準コンタクトＧが対応する信号対の信号コンタクトＳ、Ｓ間にあるので、さらに、電気的結合が改善され、インピーダンスが均一になり、対応する信号コンタクト対における信号コンタクトＳ、Ｓ間のクロストークが減少する。コンタクトＧ、Ｓは、関連付けられたプリント配線基板（図示せず）のスルーホールにはんだ付することができる。
【００２２】
本発明の好ましい実施の形態を示し説明したが、当業者であれば、添付の特許請求の範囲の精神から逸脱することなく本発明の様々な変形例を考え出すことが想定される。
【図１】
2010537384.tif 000003
【図２】
2010537384.tif 000004
【図３】
2010537384.tif 000005
【図４】
2010537384.tif 000006
【図５】
2010537384.tif 000007
【図６】
2010537384.tif 000008
【図７】
2010537384.tif 000009
【図８】
2010537384.tif 000010
【図８Ａ】
2010537384.tif 000011
【図９】
2010537384.tif 000012
【図１０】
2010537384.tif 000013
【図１１】
2010537384.tif 000014
【図１２】
2010537384.tif 000015
【図１３】
2010537384.tif 000016
【図１４】
2010537384.tif 000017
【図１５】
2010537384.tif 000018
【図１６】
2010537384.tif 000019
【図１７】
2010537384.tif 000020
【図１８】
2010537384.tif 000021
【図１９】
2010537384.tif 000022
【図２０】
2010537384.tif 000023
【図２１】
2010537384.tif 000024
【図２２】
2010537384.tif 000025
【国際調査報告】
2010537384.tif 000026
2010537384.tif 000027